(57)【要約】【課題】主基板に形成されたインバータ回路のパターンが使用されないときに、同パターンをインバータ回路のノイズ対策に利用可能な液晶表示装置用基板構造および液晶テレビジョンの提供を目的とする【解決手段】主基板４０より液晶パネル２０のバックライトに交流電圧を供給するときはインバータ基板４５を使用せずに、インバータトランス取付パターンにトランス４４ａ，４４ｂを取り付け、信号線パターンＰ２と信号線パターンＰ４とをジャンパ線ＪＰ２にて接続するとともに電源パターンＰ１と電源パターンＰ３とは接続せず、分岐グランドパターンＧＮＳ１と電源パターンＰ３とをジャンパ線ＪＰ３にて接続し、インバータ基板４５よりバックライトに交流電圧を供給するときは、コネクタパターンにコネクタ４４ｅを取り付け、ジャンパ線ＪＰ１およびジャンパ線ＪＰ２を接続し、ジャンパ線ＪＰ３は接続しない。【選択図】図４
2007225792.tif 000002
【特許請求の範囲】
【請求項１】
映像を画面に表示する平坦な表示面を前面に向けた液晶パネルと、
上記液晶パネルが備えるバックライトに交流電圧を供給するインバータ回路と、テレビジョン放送信号を受信して上記液晶パネルに映像を表示させる映像信号処理回路と、上記インバータ回路と上記映像信号処理回路とに電源電圧を供給する電源回路と、上記インバータ回路を囲むように形成されるグランドパターンと、を備える基板と、
上記液晶パネルと基板とを収容する樹脂製のキャビネットと、
を備える液晶テレビジョンにおいて、
上記バックライトへ交流電圧を供給するインバータトランスを取り付け可能な２つのインバータトランス取付パターンと、外部インバータへ信号を出力するためのケーブルが接続されるコネクタを取り付け可能なコネクタパターンと、上記グランドパターンより分岐して上記２つのインバータトランス取付パターンの間を通り上記コネクタにグランド電位を供給する分岐グランドパターンと、いずれかのインバータトランス取付パターンと上記分岐グランドパターンとの間に形成されつつ上記グランドパターンをジャンパ線にて跨いで接続されることにより上記コネクタに電源電圧を供給する電源パターンと、いずれかのインバータトランス取付パターンと上記分岐グランドパターンとの間に形成されつつ上記分岐グランドパターンとの間に上記電源パターンを挟んで略平行に延びるとともに上記グランドパターンをジャンパ線にて跨いで接続されることにより上記コネクタに制御信号を供給する信号線パターンと、を備えるインバータ回路が形成された主基板と、
端部に取り付けられて上記主基板のコネクタと接続されるコネクタと、長手方向に略等間隔に並べて配置されるとともに上記主基板のコネクタより供給される制御信号に基づいて同コネクタより供給される電源電圧を上記バックライトの点灯に必要な電圧まで昇圧して出力する３つのインバータトランスと、を備えて上記バックライトに交流電圧を供給可能なインバータ回路を備えるインバータ基板と、
を備え、
上記主基板より上記バックライトに交流電圧を供給するときは、上記２つのインバータトランス取付パターンにそれぞれインバータトランスを取り付け、上記電源パターンを上記ジャンパ線にて接続するとともに、上記信号線パターンにはジャンパ線を接続せず、上記分岐グランドパターンと上記電源パターンとをジャンパ線にて接続し、
上記インバータ基板より上記バックライトに交流電圧を供給するときは、上記コネクタパターンにコネクタを取り付け、上記電源パターンを上記ジャンパ線にて接続するとともに、上記信号線パターンをジャンパ線にて接続し、上記分岐グランドパターンと上記電源パターンとを接続しない
ことを特徴とする液晶テレビジョン。
【請求項２】
液晶パネルが備えるバックライトに交流電圧を供給するインバータ回路と、
所定の映像信号を入力されて上記液晶パネルに映像を表示させる映像信号処理回路と、
上記インバータ回路と上記映像信号処理回路とに電源電圧を供給する電源回路と、
上記インバータ回路を囲むように形成されるグランドパターンと、
を備える液晶表示装置用基板構造において、
上記バックライトへ交流電圧を供給するインバータトランスを取り付け可能な２つのインバータトランス取付パターンと、外部インバータへ信号を出力するためのケーブルが接続されるコネクタを取り付け可能なコネクタパターンと、上記グランドパターンより分岐して上記２つのインバータトランス取付パターンの間を通り上記コネクタにグランド電位を供給する分岐グランドパターンと、いずれかのインバータトランス取付パターンと上記分岐グランドパターンとの間に形成されつつ上記グランドパターンを第一の架橋部材にて跨いで接続されることにより上記コネクタに電圧信号を供給する第一の信号線パターンと、いずれかのインバータトランス取付パターンと上記分岐グランドパターンとの間に形成されつつ上記分岐グランドパターンとの間に上記第一の信号線パターンを挟んで略平行に延びるとともに上記グランドパターンを第二の架橋部材にて跨いで接続されることにより上記コネクタに電圧信号を供給する第二の信号線パターンと、を備えるインバータ回路が形成された主基板と、
上記コネクタより上記電圧信号を供給されて上記バックライトに交流電圧を供給可能なインバータ回路を備えるインバータ基板と、
を備え、
上記主基板より上記バックライトに交流電圧を供給するときは上記インバータ基板を使用せずに、上記インバータトランス取付パターンにインバータトランスを取り付け、上記第二の架橋部材を接続するとともに上記第一の架橋部材は接続せず、上記分岐グランドパターンと上記第一の信号線パターンとを第三の架橋部材にて接続し、
上記インバータ基板より上記バックライトに交流電圧を供給するときは、上記コネクタパターンにコネクタを取り付け、上記第一の架橋部材および上記第二の架橋部材を接続し、上記第三の架橋部材を接続しない
ことを特徴とする液晶表示装置用基板構造。
【発明の詳細な説明】
【技術分野】
【０００１】
本発明は、液晶テレビジョンおよび液晶表示装置用基板構造に関する。
【背景技術】
【０００２】
液晶表示装置用基板や液晶テレビジョンにおいて、インバータ回路はノイズが輻射されやすく、特にインバータトランスやインバータ回路より液晶パネルに交流電圧を供給するランプハーネスがノイズ源となりやすい。
【０００３】
ところで、インバータ回路は、仕向地や表示画面のサイズにより、主基板に搭載されたり別途基板を作成して同基板に搭載されたりすることがある。そして、異なる仕向地や異なるサイズのものに対し、同一の主基板が使用されることもあり、インバータ回路が別基板に搭載された場合には主基板に形成されたインバータ回路のパターンは使用されない。
【０００４】
特許文献１には、幾通りかの配線パターン有するプリント基板において、これら配線パターンをジャンパ線にて切り替え、複数の電源仕向地に対応可能とすることについて記載されている。
【特許文献１】特開平０９−０５０２０９号
【発明の開示】
【発明が解決しようとする課題】
【０００５】
別基板に搭載されるインバータ回路を使用する場合、主基板に形成されるインバータ回路のパターンは使用されないため、有効利用の途が望まれていた。
従って本発明では、主基板に形成されたインバータ回路のパターンが使用されないときに、同パターンをインバータ回路のノイズ対策に利用可能な液晶表示装置用基板構造および液晶テレビジョンの提供を目的とする。
【課題を解決するための手段】
【０００６】
上記課題を解決するために、本発明の請求項１にかかる発明では、映像を画面に表示する平坦な表示面を前面に向けた液晶パネルと、上記液晶パネルが備えるバックライトに交流電圧を供給するインバータ回路と、テレビジョン放送信号を受信して上記液晶パネルに映像を表示させる映像信号処理回路と、上記インバータ回路と上記映像信号処理回路とに電源電圧を供給する電源回路と、上記インバータ回路を囲むように形成されるグランドパターンと、を備える基板と、上記液晶パネルと基板とを収容する樹脂製のキャビネットと、を備える液晶テレビジョンにおいて、上記バックライトへ交流電圧を供給するインバータトランスを取り付け可能な２つのインバータトランス取付パターンと、外部インバータへ信号を出力するためのケーブルが接続されるコネクタを取り付け可能なコネクタパターンと、上記グランドパターンより分岐して上記２つのインバータトランス取付パターンの間を通り上記コネクタにグランド電位を供給する分岐グランドパターンと、いずれかのインバータトランス取付パターンと上記分岐グランドパターンとの間に形成されつつ上記グランドパターンをジャンパ線にて跨いで接続されることにより上記コネクタに電源電圧を供給する電源パターンと、いずれかのインバータトランス取付パターンと上記分岐グランドパターンとの間に形成されつつ上記分岐グランドパターンとの間に上記電源パターンを挟んで略平行に延びるとともに上記グランドパターンをジャンパ線にて跨いで接続されることにより上記コネクタに制御信号を供給する信号線パターンと、を備えるインバータ回路が形成された主基板と、端部に取り付けられて上記主基板のコネクタと接続されるコネクタと、長手方向に略等間隔に並べて配置されるとともに上記主基板のコネクタより供給される制御信号に基づいて同コネクタより供給される電源電圧を上記バックライト点灯に必要な電圧まで昇圧して出力する３つのインバータトランスと、を備えて上記バックライトに交流電圧を供給可能なインバータ回路を備えるインバータ基板と、を備え、上記主基板より上記バックライトに交流電圧を供給するときは、上記２つのインバータトランス取付パターンにそれぞれインバータトランスを取り付け、上記電源パターンを上記ジャンパ線にて接続するとともに、上記信号線パターンにはジャンパ線を接続せず、上記分岐グランドパターンと上記電源パターンとをジャンパ線にて接続し、上記インバータ基板より上記バックライトに交流電圧を供給するときは、上記コネクタパターンにコネクタを取り付け、上記電源パターンを上記ジャンパ線にて接続するとともに、上記信号線パターンをジャンパ線にて接続し、上記分岐グランドパターンと上記電源パターンとを接続しない構成としてある。
【０００７】
また、上記目的を達成するために、請求項２に記載の液晶表示装置用基板構造では、液晶パネルが備えるバックライトに交流電圧を供給するインバータ回路と、所定の映像信号を入力されて上記液晶パネルに映像を表示させる映像信号処理回路と、上記インバータ回路と上記映像信号処理回路とに電源電圧を供給する電源回路と、上記インバータ回路を囲むように形成されるグランドパターンと、を備える液晶表示装置用基板構造において、上記バックライトへ交流電圧を供給するインバータトランスを取り付け可能な２つのインバータトランス取付パターンと、外部インバータへ信号を出力するためのケーブルが接続されるコネクタを取り付け可能なコネクタパターンと、上記グランドパターンより分岐して上記２つのインバータトランス取付パターンの間を通り上記コネクタにグランド電位を供給する分岐グランドパターンと、いずれかのインバータトランス取付パターンと上記分岐グランドパターンとの間に形成されつつ上記グランドパターンを第一の架橋部材にて跨いで接続されることにより上記コネクタに電圧信号を供給する第一の信号線パターンと、いずれかのインバータトランス取付パターンと上記分岐グランドパターンとの間に形成されつつ上記分岐グランドパターンとの間に上記第一の信号線パターンを挟んで略平行に延びるとともに上記グランドパターンを第二の架橋部材にて跨いで接続されることにより上記コネクタに電圧信号を供給する第二の信号線パターンと、を備えるインバータ回路が形成された主基板と、上記コネクタより上記電圧信号を供給されて上記バックライトに交流電圧を供給可能なインバータ回路を備えるインバータ基板と、を備え、上記主基板より上記バックライトに交流電圧を供給するときは上記インバータ基板を使用せずに、上記インバータトランス取付パターンにインバータトランスを取り付け、上記第二の架橋部材を接続するとともに上記第一の架橋部材は接続せず、上記分岐グランドパターンと上記第一の信号線パターンとを第三の架橋部材にて接続し、上記インバータ基板より上記バックライトに交流電圧を供給するときは、上記コネクタパターンにコネクタを取り付け、上記第一の架橋部材および上記第二の架橋部材を接続し、上記第三の架橋部材を接続しない構成としてある。
上記のように構成した請求項２にかかる発明において、上記主基板より上記バックライトに交流電圧を供給するときは、上記分岐グランドパターンに加えて上記第一の信号線パターンがグランドとして機能するため、上記第二の信号線パターンを流れる電圧信号は上記インバータ回路より輻射されるノイズの影響を受けにくくなり、上記インバータ基板より上記バックライトに交流電圧を供給するときは、上記第二の信号線パターンに加え上記第一の信号線パターンを上記インバータ基板への電圧信号を供給するラインとして使用される。
また上記第一の信号線パターンおよび上記第二の信号線パターンとしては、電源を供給するラインであっても制御信号を伝達するラインであってもよく、その他様々な電圧信号を供給するラインとして使用可能である。
【発明の効果】
【０００８】
以上説明したように本発明によれば、ジャンパの切り替えによって信号線／ＧＮＤラインとなる配線を形成することにより、インバータトランス使用時はＧＮＤとなって安定化効果をもたらし、インバータトランス非使用時は信号ラインとなって１つのパターンで二通りの効果をもたらす。従って、最小面積で部品やパターン配置をしつつノイズに対して強いパターン設計のなされた液晶表示装置用基板構造を提供することが可能となる。
さらに請求項１のような、より具体的な構成において、上述した請求項２の発明と同様の作用を奏することはいうまでもない。
【発明を実施するための最良の形態】
【０００９】
以下、下記の順序に従って本発明の実施形態を説明する。
（１）液晶テレビジョンの概略構造：
（２）液晶テレビジョン用基板構造：
（３）まとめ：
【００１０】
（１）液晶テレビジョンの概略構造： 
図１および図２は、本考案にかかる液晶テレビジョン１００の概略構造を斜視図によって示している。図１は主基板４０にインバータ回路を搭載したときの図、図２は主基板４０にインバータ回路を搭載せずにインバータ基板４５を別途設けたときの図である。
【００１１】
両図において、液晶テレビジョン１００は、フロントキャビネット１０とリアキャビネット３０とにより形成される樹脂製のテレビジョンキャビネットの内部に、前方から後方に向けて液晶パネル２０、主基板４０（図２では主基板４０とインバータ基板４５）の順にこれらを収容することにより構成される。フロントキャビネット１０は、略中央に開口１６を形成したフロント面１１と、フロント面１１の上下左右の各辺から略後方に延出する側面とによって構成される。
【００１２】
液晶パネル２０は、映像を画面に表示する平坦な表示面を前面に向けており、概略、パネル部とバックライト部とからなる。パネル部は、偏光板、ガラス基板、液晶、導光板、反射板等の部材を層状に重ねて構成したものであり、バックライト部は、導光板の上下各側縁付近に配設された蛍光管によって構成される。パネル部は、主基板４０に実装されてマイコンとして動作するＩＣ４２ａと接続し、バックライト部は、同じく主基板４０に実装されたインバータブロック４４と接続している。
【００１３】
フロント面１１は、液晶パネル２０を前方から覆うとともに、開口１６によって液晶パネル２０の画像表示面を外部に露出させる。リアキャビネット３０は、フロントキャビネット１０の後端と接続して、液晶パネル２０および主基板４０を後方から覆う。
【００１４】
主基板４０は、本考案にかかる液晶テレビジョン用基板構造を採用した基板であり、全体が略矩形の一枚の紙フェノール基板である。主基板４０としては、紙フェノール基板以外にも、紙エポキシ基板、ガラスエポキシ基板、テフロン（登録商標）基板等、種々の基板を採用可能であるが、本実施形態においては、絶縁体に紙が使用されて安価な紙フェノールを採用する。主基板４０はＩＣ４２ａが実装される実装面が液晶パネル２０の背面と対面するように配置される。
【００１５】
（２）液晶テレビジョン用基板構造： 
図３は、主基板４０における各電子回路の配設位置などを概略的に示している。主基板４０は、片面にのみ配線パターンＰを配した単層基板である。ただし同図においては、存在する配線パターンＰの一部のみを図示している。
【００１６】
主基板４０のパターンは、インバータブロック４４と映像信号処理ブロック４１と電源ブロック４３の３つのブロックより構成される。各ブロック間はグランドパターンにて互いに電気的に絶縁されており、ブロック間はケーブルやジャンパ線にて接続される。すなわち、インバータブロックは、主基板４０の端とグランドパターンとによって囲まれて形成されている。
【００１７】
インバータブロック４４には液晶パネルが備えるバックライトに交流電圧を供給するインバータ回路が実装され、映像信号処理ブロック４１にはアナログ処理回路とデジタル処理回路とが実装され、電源ブロック４３には各ブロックの回路及び液晶テレビジョン１００の各部に電源電圧を供給する電源回路が実装される。アナログ処理回路はチューナ４１ｂや入出力端子４１ａを備え、チューナ４１ｂにて受信されたテレビジョン放送信号や入出力端子４１ａより入力された映像・音声信号にアナログ処理を行い、デジタル処理回路はアナログ処理回路から入力されるアナログの映像・音声信号にＩＣ４２ａにてデジタル処理を行うとともに液晶パネルにパネル駆動信号を送出する出力端子を備える。
【００１８】
つまり、一枚の単層基板上に、液晶テレビジョン１００の駆動に必要な全ての電子回路を実装可能としている。ここで、映像信号処理ブロック４１に実装されるアナログ処理回路とデジタル処理回路とが、所定の映像信号を入力されて上記液晶パネルに映像を表示させる映像信号処理回路を構成する。
【００１９】
また、主基板４０とは別基板にて作成されるインバータ基板４５には、主基板４０におけるインバータ回路に相当する回路と、インバータ基板４５の外部より供給される制御信号および電源電圧が入力される為の端子を備えるものとする。むろん、主基板４０に搭載されるインバータ回路とインバータ基板４５に搭載されるインバータ回路とでは対応する仕向地や対応する液晶パネルのサイズを異なるものとしてもよく、インバータトランスの数やランプハーネスが接続されるソケットの数、出力される交流電圧の周波数や電圧、などが互いに異なるものとしてもよい。
【００２０】
（３）インバータ回路周辺の構造： 
図４に主基板４０にインバータ回路を搭載したときの、インバータブロック４４の概略構成を示した。同図において、インバータブロック４４におけるインバータ回路は、概略、トランス４４ａ，４４ｂと、ソケット４４ｃ、４４ｄと、グランドパターンＧＮＤ０と、分岐グランドパターンＧＮＤ１と、信号線パターンＰ２，Ｐ４と、電源パターンＰ１，Ｐ３とを備える。同図においては、コネクタ４４ｅは実装されていない。
【００２１】
トランス４４ａ、４４ｂは、インバータトランスであり、主基板４０上に２つ形成されるインバータトランス取付パターンにそれぞれ取り付けられ、上記電源回路より供給される電源電圧をバックライト点灯に必要な電圧まで昇圧して出力する。ソケット４４ｃ、４４ｄには、液晶パネル２０のバックライトに接続されるランプハーネスが接続され、トランス４４ａ，４４ｂの出力する電圧をバックライトに供給して同バックライトを点灯させる。
【００２２】
グランドパターンＧＮＤ０は、インバータ回路において主基板４０の端に面していない部分を囲うことにより、インバータ回路より輻射されるノイズが他の回路に及ぼす影響を低減すると共に、他の回路から輻射されるノイズがインバータ回路に及ぼす影響も低減する。
【００２３】
分岐グランドパターンＧＮＤ１は、グランドパターンＧＮＤ０より分岐して、トランス４４ａとトランス４４ｂとの間を通り主基板４０の端部付近まで延び、コネクタ４４ｅが実装されるためのパターンに接続されて、グランド電位を供給する。分岐グランドパターンＧＮＤ１は、トランス４４ａとトランス４４ｂとを分断するように配置され、トランス４４ａ、４４ｂがそれぞれに発するノイズが互いに影響を及ぼすのを低減する効果もある。
【００２４】
電源パターンＰ１，Ｐ３は、トランス４４ａと４４ｂのいずれかのインバータトランス取付パターンと分岐グランドパターンＧＮＤ１との間に形成されつつグランドパターンＧＮＤ０を第一の架橋部材にて跨いで接続されることによりコネクタ４４ｅが実装される為のパターンに電源電圧を供給する。同図においては、第一の架橋部材は接続されておらず、電源パターンＰ３には電源電圧は供給されない。従って、本実施例においては、電源パターンＰ１，Ｐ３が上記第一の信号線パターンを構成し、同第一の信号線パターンが上記第一の架橋部材にて接続されたとき供給される電圧信号とは電源電圧を意味する。
【００２５】
つまり、電源パターンＰ３は、コネクタ４４ｅが実装されるためのパターンからグランドパターンＧＮＤ０の手前まで分岐グランドパターンＧＮＤ１と略平行にトランス４４ａと分岐グランドパターンＧＮＤ１との間に形成され、グランドパターンＧＮＤ０を挟んで電源パターンＰ１が形成される。すなわち、電源パターンＰ１とＰ３とは電気的に接続されず、電源パターンＰ１には電源回路より電源電圧が供給されているが、電源パターンＰ３には電源電圧が供給されていない。
【００２６】
その一方で、電源パターンＰ３は、分岐グランドパターンＧＮＤ１と第三の架橋部材にて接続される。つまり、図４においては、電源パターンＰ３には分岐グランドパターンＧＮＤ１よりグランド電位が供給され、グランドとして機能する。従って、トランス４４ａと４４ｂとの間に形成されるグランドパターンが、分岐グランドパターンＧＮＤ１と電源パターンＰ３とを合わせた広さになり、トランスやランプハーネスにて囲まれたノイズ輻射の多い位置に形成される信号線パターンＰ４であっても、ノイズの影響をほとんど受ける事無く信号を伝送可能となる。
【００２７】
信号線パターンＰ２，Ｐ４は、トランス４４ａと４４ｂのいずれかのインバータトランス取付パターンと分岐グランドパターンＧＮＤ１との間に形成されつつ、同分岐グランドパターンＧＮＤ１との間に電源パターンＰ３を挟んで略平行に延び、グランドパターンＧＮＤ０を第二の架橋部材にて跨いで接続されることによりコネクタ４４ｅが実装される為のパターンに制御信号を供給する。本実施例においては信号線パターンＰ２，Ｐ４が上記第二の信号線パターンを構成し、同第二の信号線パターンが上記第二の架橋部材にて接続されたときに供給される電圧信号とは制御信号を意味する。
【００２８】
つまり、信号線パターンＰ４は、分岐グランドパターンＧＮＤ１との間に電源パターンＰ３を挟みつつ、コネクタ４４ｅが実装されるためのパターンからグランドパターンＧＮＤ０の手前まで分岐グランドパターンＧＮＤ１と略平行となるように形成され、グランドパターンＧＮＤ０をジャンパ線ＪＰ２にて跨いで信号線パターンＰ２へ接続される。従って、信号線パターンＰ４に映像信号処理回路より出力される制御信号が供給される。また、図には示していないが、信号線パターンＰ４からはインバータブロック４４に形成されるインバータ回路にも制御信号が供給されている。
【００２９】
次に、図５を参照して、主基板４０にインバータ回路が搭載されず、別基板としてインバータ基板４５が作成されるときの、インバータブロック４４およびインバータ基板４５の概略構成を説明する。同図においてインバータブロック４４は、概略、コネクタ４４ｅと、グランドパターンＧＮＤ０と、分岐グランドパターンＧＮＤ１と、電源パターンＰ１，Ｐ３と、信号線パターンＰ２，Ｐ４とから構成される。また、インバータ基板４５におけるインバータ回路は、概略、トランス４５ａ，４５ｂ，４５ｃと、ソケット４５ｄ、４５ｅ，４５ｆと、コネクタ４５ｇとから構成される。
【００３０】
同図のインバータ基板４５は、主基板４０のインバータ回路にて対応するバックライトの蛍光管に比べて、蛍光管の数が多いバックライトに対応可能とすることを想定し、トランスとソケットの数を多くしてある。むろん、インバータ基板４５の備えるトランスとソケットの数は、主基板と同じものや、少ないもの、多いものなど適宜変更可能である。
【００３１】
図５において、グランドパターンＧＮＤ０と分岐グランドパターンＧＮＤ１の形状と構成とは図４と同様であるが、トランスとソケットとは実装されない。つまり、インバータトランス取付パターンにはトランス４４ａ，４４ｂは取り付けられず、ソケット取付パターンにもソケット４４ｃ、４４ｄは取り付けられず、両パターンとも使用されない。
【００３２】
図５において、電源パターンＰ１，Ｐ３の形成される位置と形状とは図４と同様であるが、第一の架橋部材が接続されるので、電源パターンＰ３に電源電圧が供給されている。すなわち、電源パターンＰ１とＰ３とは電気的に接続され、電源パターンＰ１よりジャンパ線ＪＰ１を介して電源パターンＰ３へと電源回路より電源電圧が供給される。むろんこのときはジャンパ線ＪＰ３は接続されない。
【００３３】
また、図５において、信号線パターンＰ２，Ｐ４の形成される位置と形状とも図４と同様であり、ジャンパ線ＪＰ２にて信号線パターンＰ２と信号線パターンＰ４とが接続される点も同様である。すなわち、信号線パターンＰ２に映像信号処理回路より出力される制御信号はジャンパ線ＪＰ２を介して信号線パターンＰ４に供給され、コネクタ４４ｅより制御信号を出力可能となる。
【００３４】
コネクタ４４ｅは、インバータブロック４４に形成されるコネクタパターンに取り付けられ、外部インバータへ制御信号および電源電圧を出力するためのケーブル８２が接続される。つまり、コネクタ４４ｅは、インバータ基板４５に制御信号および電源電圧を供給するためのケーブル８２が接続可能とされる。すなわち、コネクタ４４ｅには、分岐グランドパターンＧＮＤ１よりグランド電位が供給され、電源パターンＰ３より電源電圧が供給され、信号線パターンＰ４からは制御信号が供給され、ケーブル８２を介してグランド電位と電源電圧と制御信号とを供給可能となっている。
【００３５】
コネクタ４５ｇは、インバータ基板４５の端部に取り付けられ、ケーブル８２が接続されることにより、制御信号や電源電圧などをインバータ基板４５に対して供給可能となる。すなわち、主基板４０のコネクタ４４ｅより出力される制御信号と電源電圧とグランド電位とをインバータ基板４５上に形成される各回路へと供給する。
【００３６】
トランス４５ａ，４５ｂ，４５ｃは、インバータトランスであり、図５においては、インバータ基板４５の長手方向に略等間隔に並べて３つ形成されるインバータトランス取付パターンにそれぞれ取り付けられ、コネクタ４５ｇより供給される制御信号に基づき、同コネクタ４５ｇより供給される電源電圧をバックライト点灯に必要な電圧まで昇圧して出力する。
【００３７】
ソケット４５ｄ、４５ｅ，４５ｆには、液晶パネル２０のバックライトに接続されるランプハーネスが接続され、トランス４５ａ，４５ｂ、４５ｃの出力する電圧をバックライトに供給して同バックライトを点灯させる。
【００３８】
（４）まとめ： 
つまり、主基板４０より液晶パネル２０のバックライトに交流電圧を供給するときはインバータ基板４５を使用せずに、インバータトランス取付パターンにトランス４４ａ，４４ｂを取り付け、信号線パターンＰ２と信号線パターンＰ４とをジャンパ線ＪＰ２にて接続するとともに電源パターンＰ１と電源パターンＰ３とは接続せず、分岐グランドパターンＧＮＳ１と電源パターンＰ３とをジャンパ線ＪＰ３にて接続し、インバータ基板４５よりバックライトに交流電圧を供給するときは、コネクタパターンにコネクタ４４ｅを取り付け、ジャンパ線ＪＰ１およびジャンパ線ＪＰ２を接続し、ジャンパ線ＪＰ３は接続しない。
【００３９】
以上説明したように、本実施例に対応する請求項２にかかる液晶表示装置用基板構造では、液晶パネルが備えるバックライトに交流電圧を供給するインバータ回路と、所定の映像信号を入力されて上記液晶パネルに映像を表示させる映像信号処理回路と、上記インバータ回路と上記映像信号処理回路とに電源電圧を供給する電源回路と、上記インバータ回路を囲むように形成されるグランドパターンと、を備える液晶表示装置用基板構造において、上記バックライトへ交流電圧を供給するインバータトランスを取り付け可能な２つのインバータトランス取付パターンと、外部インバータへ信号を出力するためのケーブルが接続されるコネクタを取り付け可能なコネクタパターンと、上記グランドパターンより分岐して上記２つのインバータトランス取付パターンの間を通り上記コネクタにグランド電位を供給する分岐グランドパターンと、いずれかのインバータトランス取付パターンと上記分岐グランドパターンとの間に形成されつつ上記グランドパターンを第一の架橋部材にて跨いで接続されることにより上記コネクタに電圧信号を供給する第一の信号線パターンと、いずれかのインバータトランス取付パターンと上記分岐グランドパターンとの間に形成されつつ上記分岐グランドパターンとの間に上記第一の信号線パターンを挟んで略平行に延びるとともに上記グランドパターンを第二の架橋部材にて跨いで接続されることにより上記コネクタに電圧信号を供給する第二の信号線パターンと、を備えるインバータ回路が形成された主基板と、上記コネクタより上記電圧信号を供給されて上記バックライトに交流電圧を供給可能なインバータ回路を備えるインバータ基板と、を備え、上記主基板より上記バックライトに交流電圧を供給するときは上記インバータ基板を使用せずに、上記インバータトランス取付パターンにインバータトランスを取り付け、上記第二の架橋部材を接続するとともに上記第一の架橋部材は接続せず、上記分岐グランドパターンと上記第一の信号線パターンとを第三の架橋部材にて接続し、上記インバータ基板より上記バックライトに交流電圧を供給するときは、上記コネクタパターンにコネクタを取り付け、上記第一の架橋部材および上記第二の架橋部材を接続し、上記第三の架橋部材を接続しない構成としてある。
つまり、上記主基板より上記バックライトに交流電圧を供給するときは、上記分岐グランドパターンに加えて上記第一の信号線パターンがグランドとして機能するため、上記第二の信号線パターンを流れる電圧信号は上記インバータ回路より輻射されるノイズの影響を受けにくくなり、上記インバータ基板より上記バックライトに交流電圧を供給するときは、上記第二の信号線パターンに加え上記第一の信号線パターンを上記インバータ基板への電圧信号を供給するラインとして使用される。
【００４０】
また上記第一の信号線パターンおよび上記第二の信号線パターンとしては、電源を供給するラインであっても制御信号を伝達するラインであってもよく、その他様々な電圧信号を供給するラインとして使用可能である。
上記のように構成した請求項２に記載の発明においては、ジャンパの切り替えによって信号線／ＧＮＤラインとなる配線を形成することにより、インバータトランス使用時はＧＮＤとなって安定化効果をもたらし、インバータトランス非使用時は信号ラインとなって１つのパターンで二通りの効果をもたらす。従って、最小面積で部品やパターン配置をしつつノイズに対して強いパターン設計のなされた液晶表示装置用基板構造を提供することが可能となる。
【００４１】
以上の構成を踏まえた上で、請求項１の発明は、映像を画面に表示する平坦な表示面を前面に向けた液晶パネルと、上記液晶パネルが備えるバックライトに交流電圧を供給するインバータ回路と、テレビジョン放送信号を受信して上記液晶パネルに映像を表示させる映像信号処理回路と、上記インバータ回路と上記映像信号処理回路とに電源電圧を供給する電源回路と、上記インバータ回路を囲むように形成されるグランドパターンと、を備える基板と、上記液晶パネルと基板とを収容する樹脂製のキャビネットと、を備える液晶テレビジョンにおいて、上記バックライトへ交流電圧を供給するインバータトランスを取り付け可能な２つのインバータトランス取付パターンと、外部インバータへ信号を出力するためのケーブルが接続されるコネクタを取り付け可能なコネクタパターンと、上記グランドパターンより分岐して上記２つのインバータトランス取付パターンの間を通り上記コネクタにグランド電位を供給する分岐グランドパターンと、いずれかのインバータトランス取付パターンと上記分岐グランドパターンとの間に形成されつつ上記グランドパターンをジャンパ線にて跨いで接続されることにより上記コネクタに電源電圧を供給する電源パターンと、いずれかのインバータトランス取付パターンと上記分岐グランドパターンとの間に形成されつつ上記分岐グランドパターンとの間に上記電源パターンを挟んで略平行に延びるとともに上記グランドパターンをジャンパ線にて跨いで接続されることにより上記コネクタに制御信号を供給する信号線パターンと、を備えるインバータ回路が形成された主基板と、端部に取り付けられて上記主基板のコネクタと接続されるコネクタと、長手方向に略等間隔に並べて配置されるとともに上記主基板のコネクタより供給される制御信号に基づいて同コネクタより供給される電源電圧を上記バックライト点灯に必要な電圧まで昇圧して出力する３つのインバータトランスと、を備えて上記バックライトに交流電圧を供給可能なインバータ回路を備えるインバータ基板と、を備え、上記主基板より上記バックライトに交流電圧を供給するときは、上記２つのインバータトランス取付パターンにそれぞれインバータトランスを取り付け、上記電源パターンを上記ジャンパ線にて接続するとともに、上記信号線パターンにはジャンパ線を接続せず、上記分岐グランドパターンと上記電源パターンとをジャンパ線にて接続し、上記インバータ基板より上記バックライトに交流電圧を供給するときは、上記コネクタパターンにコネクタを取り付け、上記電源パターンを上記ジャンパ線にて接続するとともに、上記信号線パターンをジャンパ線にて接続し、上記分岐グランドパターンと上記電源パターンとを接続しない構成としてある。
【００４２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４３】
【図１】液晶テレビジョンの概略構造を示す斜視図
【図２】液晶テレビジョンの概略構造を示す斜視図
【図３】基板上の各電子回路の配設位置などを示した図
【図４】インバータ回路周辺のパターンを示した図
【図５】インバータ回路周辺のパターンを示した図
【符号の説明】
【００４４】
１０…フロントキャビネット
１１…フロント面
１６…開口
２０…液晶パネル
３０…リアキャビネット
４０…主基板
８０…インターフェース
１００…液晶テレビジョン
４１…映像信号処理ブロック
４１ａ…入出力端子
４１ｂ…チューナ
４２ａ…ＩＣ
４２ｂ、４２ｃ…コネクタ
４３…電源ブロック
４３ａ…整流回路
４３ｂ…トランス
４３ｃ…ケーブル
４４…インバータブロック
４４ａ、４４ｂ…インバータトランス
４４ｃ、４４ｄ…ソケット
４４ｅ…コネクタ
Ｐ１、Ｐ３…電源パターン
Ｐ２，Ｐ４…信号線パターン
ＪＰ１〜３…ジャンパ線
ＧＮＤ…グランド
４５…インバータ基板
４５ａ〜４５ｃ…インバータトランス
４５ｄ〜４５ｆ…ソケット
４５ｇ…コネクタ
８２…ランプハーネス
【図１】
2007225792.tif 000003
【図２】
2007225792.tif 000004
【図３】
2007225792.tif 000005
【図４】
2007225792.tif 000006
【図５】
2007225792.tif 000007